(57)【要約】【課題】低コスト化、構成の簡易化を図り得るシェアルーム又はシェアハウスの空調装置を提供する。【解決手段】共同利用室内に設けられた通路２２の壁面２３に空調空気吐出し口３１を少なくとも１個開口させ、この空調空気吐出し口３１に対向する通路２２の壁面２４に複数の空調空気取込み口３２を開口させた。複数の空調空気取込み口３２に、空調空気吸引ファン３６を途中に設けたダクト３３の一端を夫々接続し、各ダクト３３の他端を複数の個室２１内の夫々の壁面２５に開口する空調空気吹出し口３５に接続した。簡易、低コストの構成で、複数の個室２１の空調を夫々別個に行える。【選択図】図２
0003184755.tif 000002
【実用新案登録請求の範囲】
【請求項１】
複数人で共同して利用する共同利用室・共同利用住居内に構築された複数の個室の空気調節を行うシェアルーム又はシェアハウスの空調装置であって、
前記共同利用室・共同利用住居内に設けられた通路の壁面又は通路の天井面に空調空気吐出し口を少なくとも１個開口させ、
この空調空気吐出し口に対向するか又はその近傍にある前記通路の壁面には、複数の空調空気取込み口が開口し、
この複数の空調空気取込み口には、空調空気吸引ファンを途中に設けたダクトの一端を夫々接続し、各ダクトの他端は各個室内の壁面又は天井面に開口する空調空気吹出し口に接続してなることを特徴とするシェアルーム又はシェアハウスの空調装置。
【請求項２】
各個室内において、その個室の空調空気吹出し口に接続されたダクトに設けられた前記空調空気吸引ファンの回転数制御操作及び／又は電源ＯＮ・ＯＦＦ操作を可能にしたことを特徴とする請求項１に記載のシェアルーム又はシェアハウスの空調装置。
【請求項３】
前記空調空気吹出し口には、その空調空気吹出し口からの空調空気吹出し量を調節するための空調空気吹出し量調節器が設けられることを特徴とする請求項１又は２に記載のシェアルーム又はシェアハウスの空調装置。
【請求項４】
前記複数の個室は、箱状体を上下方向に２分割して形成した２つの個室、箱状体を左右方向に２分割して形成した２つの個室及び／又は移動可能にユニット化された個室を含むことを特徴とする請求項１〜３のいずれか１の項に記載のシェアルーム又はシェアハウスの空調装置。
【考案の詳細な説明】
【技術分野】
【０００１】
本考案は、複数人で共同して利用する共同利用室・共同利用住居内に構築された複数の個室の空気調節に好適なシェアルーム又はシェアハウスの空調装置に関するものである。
【背景技術】
【０００２】
アパート、マンションあるいは戸建て住宅の部屋を複数人で共同して利用する共同利用居住形態はシェアルームと称され、近年、需要が増大している。
この種の共同利用室は、玄関、通路、キッチン、バス、トイレ、リビング等の共用空間と、個々の利用者の私用空間（専ら就寝をするため、その他、テレビジョン視聴や読書をするためにも利用する、リビングの一部を含むルーム空間。）とからなる。共用空間は共同利用者が共同で利用する空間であるが、私用空間は個々の利用者の専用空間となる。
アパート等に居住することを望む個々の利用者は、多少の不自由さはあっても、１つの部屋又は複数の部屋を有するアパート等を単独で借りるよりは、シェアルームを複数人で借りる方が安価な費用（家賃、水道・光熱費等）で居住できるので割安感がある。シェアルームの需要が都市部で増大している理由はここにある。
【０００３】
また、複数の部屋を有するアパート、マンションあるいは戸建て住宅における各部屋を複数人で夫々別個に利用する共同利用居住形態はシェアハウスと称され、このシェアハウスもアパート、マンションあるいは戸建て住宅を単独で借りるよりは安価な費用で居住できる。したがって、このシェアハウスの需要も、近年増大している。なお、シェアハウスにおける１部屋も複数人が共同して居住するシェアルームとして利用できる。
【０００４】
上記のようなシェアルームの場合でもシェアハウスの場合でも、各利用者の私用空間は上記のように専用空間となるが、この専用空間（各部屋）において、四季を通じて快適に過ごすには空調装置は必須である。
【０００５】
ところで従来、複数の部屋を個別に空気調節（空調）する技術としては特許文献１に記載するような空調装置があった。
これは、同一通路に沿って並設された複数の個室を個別的に空調する空調システムであって、通路へ外気を導入する外気導入ダクトと、同通路の天井裏の各個室近くに夫々個別に室外ユニットを備える。そして、各室外ユニットに夫々ダクトを介して接続された各個室側の吹き出しユニットを経て各個室への給気及び空気循環を行い、各個室のサーモスタットによって、対応する室外ユニットの吐出空気温度を自動制御するようにした空調装置である。
【先行技術文献】
【特許文献】
【０００６】
【特許文献１】特開平８−２５４３４６号公報
【考案の概要】
【考案が解決しようとする課題】
【０００７】
上記従来の空調装置は、通常住居における空調装置としては、各個室毎に１個の独立した空調装置（熱交換機が別体のものもある）が取り付けられるが、低コスト化が期待される。
しかし、シェアルームやシェアハウスにおける各個室の空調装置においては、通常住居の空調装置における恒久性、性能の高さよりも、低コスト化、構成の簡易化が優先される。
従来の空調装置でも、上記のように低コスト化が期待され、従来の空調装置のようにシェアルームやシェアハウスにおける各個室に独立した空調装置を取り付けることはできるが、スペース、配管、配線の複雑さ等から改良が求められるところである。上記従来の空調装置ではこの点について満足し得るものではなかった。
【０００８】
本考案の課題は、シェアルーム又はシェアハウスであって、全個室数より少ない数の空調空気吐出し口を使用して各個室の空調が行え、１室１装置を設置する場合に比べて低コスト化、構成の簡易化を図り得、かつ空調を各個室において調節できるシェアルーム又はシェアハウスの空調装置を提供することにある。
【課題を解決するための手段】
【０００９】
上記課題を達成するために、請求項１に記載の考案は、複数人で共同して利用する共同利用室・共同利用住居内に構築された複数の個室の空気調節を行うシェアルーム又はシェアハウスの空調装置であって、前記共同利用室・共同利用住居内に設けられた通路の壁面又は通路の天井面に空調空気吐出し口を少なくとも１個開口させ、この空調空気吐出し口に対向するか又はその近傍にある前記通路の壁面には、複数の空調空気取込み口が開口し、この複数の空調空気取込み口には、空調空気吸引ファンを途中に設けたダクトの一端を夫々接続し、各ダクトの他端は各個室内の壁面又は天井面に開口する空調空気吹出し口に接続してなることを特徴とする。
【００１０】
請求項２に記載の考案は、請求項１に記載のシェアルーム又はシェアハウスの空調装置であって、各個室内において、その個室の空調空気吹出し口に接続されたダクトに設けられた前記空調空気吸引ファンの回転数制御操作及び／又は電源ＯＮ・ＯＦＦ操作を可能にしたことを特徴とする。
【００１１】
請求項３に記載の考案は、請求項１又は２に記載のシェアルーム又はシェアハウスの空調装置であって、前記空調空気吹出し口には、その空調空気吹出し口からの空調空気吹出し量を調節するための空調空気吹出し量調節器が設けられることを特徴とする。
【００１２】
請求項４に記載の考案は、請求項１〜３のいずれか１の項に記載のシェアルーム又はシェアハウスの空調装置であって、前記複数の個室は、箱状体を上下方向に２分割して形成した２つの個室、箱状体を左右方向に２分割して形成した２つの個室及び／又は移動可能にユニット化された個室を含むことを特徴とする。
【考案の効果】
【００１３】
請求項１の考案によれば、シェアルーム又はシェアハウスの空調装置につき、全個室数より少ない、少なくとも１個の空調空気吐出し口により複数の個室の空調が可能であり、１室１装置を設置する場合に比べて低コスト化、構成の簡易化を図り得る。
請求項２の考案によれば、元の空調空気吐出し口から吐き出される空調空気を量的に調節することでき、季節や外気温度に応じた所望の空調が可能である。また、空調を各個室において調節可能である。
請求項３の考案によれば、各個室内ヘの空調空気吹出し量を微調整することができる。
請求項４の考案によれば、シェアルーム又はシェアハウスに好適な形態の複数の個室について、請求項１〜３に記載のシェアルーム又はシェアハウスの空調装置を適用できる。
【図面の簡単な説明】
【００１４】
【図１】本考案の一実施形態に係るシェアルームの空調装置が適用された共同利用室の概要を示す見取り図である。
【図２】本考案の一実施形態に係るシェアルームの空調装置を説明するための平面図である。
【図３】図２中の３つの空調空気取込み口部分の斜視図である。
【図４】同じくダクトの一例を取り出して示す斜視図である。
【図５】同じく空調空気吹出し量調節器の一例を取り出して示す正面図である。
【図６】本考案の他の実施形態に係るシェアルームの空調装置を説明するための平面図である。
【図７】図６中のVII−VII線断面矢視図である。
【図８】図６及び図７中のダクトの配置形態を示す斜視図である。
【考案を実施するための形態】
【００１５】
以下、本考案の実施の形態を図面に基づき説明する。なお、各図間において、同一符号は同一又は相当部分を示す。
本考案のシェアルーム又はシェアハウスの空調装置は、複数人で共同して利用する共同利用室・共同利用住居内に構築された複数の個室の空気調節（暖房、冷房あるいは除湿等）を行う装置である。例えば、図１に示すように、複数人で共同利用する玄関１１、リビング１２、キッチン１３、バス１４及びトイレ１５等が配置される共同利用室Ｒ内に構築された複数の個室２１の空気調節を行うシェアルームの空調装置１００である。
【００１６】
図１に示すシェアルームの空調装置１００は、図２に例示するように、少なくとも１つ（図示例では１つ）の空調空気吐出し口３１と、上記個室２１の数と同数（複数）の空調空気取込み口３２と、同じく個室２１の数と同数のダクト３３とを備えて構成される。
【００１７】
上記空調空気吐出し口３１とは、空気調節された空気（空調空気）ａの吐出し口であって、セントラル空調装置や所謂エアコン室内機の空調空気吐出し口を指す。本実施形態ではエアコン室内機３４の空調空気吐出し口を指す。
この空調空気吐出し口３１は、上記共同利用室Ｒ内に設けられた通路２２の壁面又は天井面に開口させてある。ここで、通路２２の「壁面又は天井面」とは、壁面又は天井面に取り付けられたエアコン室内機３４の空調空気吐出し口３１においては、「壁面又は天井面に沿う面」をも含む。
本実施形態において、空調空気吐出し口３１は、通路２２の壁面２３に開口させてある。
なお、上記セントラル空調装置の本体や上記エアコン室内機２３に接続されたエアコン室外機は、図示を省略した。
【００１８】
個室２１の数と同数の、図２に示す例では３つの空調空気取込み口３２が、上記空調空気吐出し口３１に対向するか又はその近傍にある通路２２の壁面（壁面２３又は壁面２３とは反対側の壁面２４であって、空調空気吐出し口３１の近傍）に開口している。
図２に示す例では、３つの空調空気取込み口３２は上記空調空気吐出し口３１に対向する壁面２４に開口している。３つの空調空気取込み口３２自体も空調空気吐出し口３１に対向していることが望ましい。
各空調空気取込み口３２には、この空調空気取込み口３２を正面視した場合に手前側が下方に向けられたルーバ３２ａが設けられていて（図３参照）、通路２２天井側からの塵埃のダクト３３内への侵入を防いでいる。
また、上記空調空気吐出し口３１には、そこから吐き出される空調空気ａをルーバ等によって所望の方向に変更する空調空気放出方向可変手段（図示せず）が設けられている。
空調空気吐出し口３１に空調空気放出方向可変手段を設けることによれば、空調空気ａの吐出し方向を適宜変更して空調空気取込み口３２からの空調空気ａの取り込みを有効に行うことができる。
空調空気吹出し口３５にも上記空調空気放出方向可変手段（図示せず）を設けてもよい。
【００１９】
各空調空気取込み口３２には、夫々ダクト３３の一端が接続されている。各ダクト３３の他端は、各個室２１内の壁面又は天井面に開口している空調空気吹出し口３５に夫々別個に接続されている。つまり、ダクト３３は個室２１の数と同数の３本用意され、各ダクト３３は、３つの個室２１のうちのいずれか１室に割り当てられた１つの空調空気取込み口３２と、その割り当てられた１室内の壁面又は天井面、図２に示す例では壁面２５に開口する空調空気吹出し口３５との間に接続されている。
各ダクト３３は、例えばアルミニウム材を用いて円筒状に形成され、上記空調空気取込み口３２及び空調空気吹出し口３５間を接続可能に、適宜の長さと折曲部を有してなる（図４参照）。各ダクト３３を角筒状に形成してもよい。
【００２０】
各ダクト３３には、その両端間（中間部）にターボファン等からなる空調空気吸引ファン３６が設けられ、上記空調空気吐出し口３１から吐き出された空調空気ａを空調空気取込み口３２から強制的に取り込んで、各個室２１の空調空気吹出し口３５から吹き出し可能である。
上記空調空気吸引ファン３６は、夫々別個に回転数制御操作か電源ＯＮ・ＯＦＦ操作、あるいはその両操作が可能に構成することができる。ここでは回転数制御及び電源ＯＮ・ＯＦＦの両操作が可能に構成されている。これら回転数制御及び電源ＯＮ・ＯＦＦをするためのファン操作器３７は、これにより操作される空調空気吸引ファン３６によって空調空気ａが空調空気吹出し口３５から吹き出される個室２１内の適宜箇所、ここでは空調空気吐出し口３１近くに設けられている。個室２１に出入りする開閉戸２１ａの近傍にファン操作器３７を設けてもよい。なお開閉戸２１ａは、例えばよろい戸状に形成され、空調空気ａのリターン口としても用いられる。リターン口を個室２１の壁面等に独立して設けてもよい。
【００２１】
このファン操作器３７により、空調空気吸引ファン３６の回転数制御操作及び電源ＯＮ・ＯＦＦ操作が可能であることによれば、各個室２１の利用者の意図のもとで、空調空気吐出し口３１から吐き出される空調空気ａを量的に調節することでき、季節や外気温度に応じた所望の空調が可能である。また、ファン操作器３７を個室２１内の空調空気吐出し口３１近くに設けることによれば、ファン操作器３７の位置が分かりやすい。
このファン操作器３７を、リモートコントロール方式を適用して構成してもよく、これによれば、個室２１内の任意の位置から空調空気吸引ファン３６の回転数制御操作及び電源ＯＮ・ＯＦＦ操作が可能である。
【００２２】
上記空調空気吹出し口３５には、そこからの空調空気吹出し量を調節するための空調空気吹出し量調節器３８が設けられている。
この空調空気吹出し量調節器３８は、例えば図５に示すように、２枚の円板５１，５２を重ねて中心で軸支し、一方の円板５１を回転自在に設けると共に各円板５１，５２に放射方向に延びる扇状の貫通孔５３，５４を円周方向に間隔を置いて複数穿設する。そして、上記一方の円板５１の中心部から突出するつまみ５５を摘んで回すことにより（矢印イ参照）、空調空気吹出し口３５を連続的に又は段階的に開閉し、空調空気吹出し口３５からの空調空気吹出し量を調節可能に構成されている。
空調空気吹出し口３５に空調空気吹出し量調節器３８を設ければ、上記ファン操作器３７による操作とは別個に各個室２１内への空調空気吹出し量を微調整することができ、温度調節等の微調整が可能になる。
空調空気吹出し量調節器３８を、上記つまみ５５を回すことにより空調空気吹出し口３５を連続的に又は段階的に開閉して空調空気吹出し量を調節可能に構成することによれば、空調空気吹出し量調節を簡単、適切に行える。
【００２３】
なお、実施形態の説明に当たり、空調空気吸引ファン３６を中間に介装した各ダクト３３が、各個室２１，２１間に設けられた１つの室ｘの中に配置されているように図示したが、この室ｘは、天井ダクト又は壁面ダクトとして各ダクト３３を覆うものであって、独立した室ｘとして設けるものではない。
【００２４】
次に、上述したシェアルームの空調装置１００の動作について説明する。
図２において、始めに、シェアルームの空調装置１００を起動し、空調空気吐出し口３１から空調空気ａを吐き出すように作動させておく。
この状態で、通路２２の上部は元からある空気に空調空気ａが供給されそれが満たされ、次にそれが徐々に周囲に広がってゆく。
個室２１内のファン操作器３７により空調空気吸引ファン３６の電源がＯＮされると、空調空気吸引ファン３６が回転し、空調空気吐出し口３１から吐き出されている空気調節濃度の高い空調空気ａが空調空気取込み口３２からダクト３３内に強制的に取り込まれる。
取り込まれた空調空気ａは、ダクト３３内を通って、電源ＯＮ操作されたファン操作器３７が設けられた個室２１内の空調空気吹出し口３５から吹き出され、その個室２１内を空調する。すなわち、空調空気吐出し口３１から吐き出されている空調空気ａが冷気であれば冷房を、暖気であれば暖房を、除湿空気であれば除湿を、単なる外気であれば送風をその個室２１内に対して行う。
【００２５】
上記の空調動作時に、ファン操作器３７によって空調空気吸引ファン３６の回転数制御操作を行えば、空調空気吸引ファン３６の回転数を制御できる。
以上の空調動作は、各個室２１について、各個室２１に設けられたファン操作器３７により独立して行われる。
各個室２１の空調動作は、シェアルームの空調装置１００の主空調動作（冷房、暖房、除湿等）に従わざるを得ない。しかし主空調動作として、例えば冷房又は暖房が選択された場合、その冷房又は暖房の強弱は、各個室２１毎に各個室２１に設けられたファン操作器３７により独立して行える。
なお、空調空気吐出し口３１が壁面２３に開口されている通路２２についても、空調空気取込み口３２からダクト３３内に取り込まれ切れない余剰の空調空気ａがあった場合に空調が行われる。
【００２６】
以上述べたように本実施形態によれば、共同利用室Ｒ（図１参照）内に設けられた通路２２の壁面２３に空調空気吐出し口３１を開口させ、この空調空気吐出し口３１に対向する通路２２の壁面２４に複数（ここでは３つ）の空調空気取込み口３２を開口させた。そして、この複数の空調空気取込み口３２に、両端間に空調空気吸引ファン３６を設けたダクト３３の一端を夫々接続し、各ダクト３３の他端を複数の個室２１内の夫々の壁面２５に開口する空調空気吹出し口３５に接続することにより、複数の個室２１の空調を夫々別個に行うように構成した。
これによれば、個室２１の数より少ない空調空気吐出し口３１により複数の個室２１の空調が可能であり、１室１装置を設置する場合に比べて低コスト化、構成の簡易化を図り得る。
【００２７】
なお、上述実施形態（図２に示した実施形態）では、共同利用室（共同利用住居）内に個室２１が平屋建て形式で３室構築した場合を例に採って説明したが、これ以外の複数の個室２１の構築形態にも適用できることは勿論である。例えば図６〜図８に示すように、２階建て形式で各階に２室、合計４室の個室２１を構築した場合にも適用できる。図６〜図８の実施形態については、図２と同一又は相当部分に同一符号を付してその説明を省略する。
また、複数の個室としては、箱状体を上下方向に２分割して形成した２つの個室や、箱状体を左右方向に２分割して形成した２つの個室、あるいは移動可能にユニット化された個室であってもよく、更には、これらの個室を適宜組合せてなる形態であってもよい。
【符号の説明】
【００２８】
２１：個室、２２：通路、２３，２４：壁面、３１：空調空気吐出し口、３２：空調空気取込み口、３３：ダクト、３５：空調空気吹出し口、３６：空調空気吸引ファン、３７：ファン操作器、３８：空調空気吹出し量調節器、１００：シェアルームの空調装置。
【図１】
0003184755.tif 000003
【図２】
0003184755.tif 000004
【図３】
0003184755.tif 000005
【図４】
0003184755.tif 000006
【図５】
0003184755.tif 000007
【図６】
0003184755.tif 000008
【図７】
0003184755.tif 000009
【図８】
0003184755.tif 000010